(57)【要約】【課題】鋼管杭等の複数の基礎杭用部材を連結して建込・貫入する現場で、容易にかつ迅速に基礎杭用部材の連結作業を行なうことが出来るようにすることにある。【解決手段】基礎杭用部材５の各連結端部６に固着して互いの基礎杭用部材５を連結するための少なくとも１対の連結体２ａ、２ｂと、この連結体２ａ、２ｂを連結固定するボルト・ナット等からなる固定手段３とからなり、上記の各連結体２ａ、２ｂには、互いに係合する係合凹部１６ａ、１６ｂと係合凸部２０とが形成してあり、さらに、捩れ変形を防止するための補強部材１３と補強蓋部材３１とを備えている。【選択図】  図１
0003108413.tif 000002
【実用新案登録請求の範囲】
【請求項１】
鋼管杭、スクリュー羽根を備えた杭先鋼管、またはスクリュー羽根を外周に備えたスクリュー羽根付き鋼管等の複数の基礎杭用部材の各連結端部に固着して互いの基礎杭用部材を連結するための少なくとも１対の連結体と、この連結体を連結固定するボルト・ナット等からなる固定手段とからなり、
上記の連結体は、基礎杭用部材の連結端部に裏面を固着する円形状のベース板と、このベース板の表面の片側半分のベース板中央寄りを横切るようにしてベース板に固着した連結板と、連結板の所定箇所に穿孔した複数の連結用孔と、ベース板の表面の上記した片側半分の外周縁に沿ってこのベース板に固着した円弧状の補強部材と、上記した連結板の各連結用孔に通じるように上記の補強部材に形成した開口部と、上記の連結板並びに補強部材の上端部側に形成した各係合凹部と、この各係合凹部の溝幅より小さい幅でベース板の表面の上記した片側半分と反対側のもう一方の片側半分に固着した係合凸部と、上記の連結板並びに補強部材の上端部側の中央部に形成した各係合凹部の溝幅と同じ幅または溝幅より広い幅の隙間通路を、上記の円弧状の補強部材と連結板とで囲繞される内部空間の上部開口部に確保してこの上部開口部に蓋するように設けた補強蓋部材とからなり、
対向する各基礎杭用部材の連結端部に固着した連結体の連結時に、一方の連結体の係合凹部と他方の連結体の係合凸部とを嵌め合わせて互いの連結体を係合させ、かつ、連結用孔を介して各連結板を固定手段で連結固定できるようにした構成を特徴とする連結具。
【考案の詳細な説明】
【技術分野】
【０００１】
本考案は、戸建、集合住宅、その他の各種の構築物の建設の際に、基礎杭として地盤に打ち込む一定長さの鋼管杭等を順次連結するための連結具に関する。
【背景技術】
【０００２】
戸建、集合住宅等を建設する場合、建設場所によっては地盤強化のために基礎杭を地盤に建込・貫入している。その場合、基礎杭としては、例えばスクリュー羽根を備えた杭先鋼管に、所定長さの鋼管杭を順次連結したものが使用されている。
【０００３】
この鋼管杭等を連結する場合、従来例（１）としては、建込・貫入現場で連結する例えば鋼管杭どうしの端面を当接させ、当接周囲を溶接して連結していた。
【０００４】
また、別の従来例（２）としては、鋼管加工工場等で鋼管杭の一端部に雌ねじ部を形成し、他端部に雄ねじ部を形成し、搬入したこの鋼管杭の建込・貫入現場で、杭建込・回転貫入装置で上記鋼管杭を地盤に建込・貫入し、この鋼管杭に連結する次の鋼管杭を杭建込・回転貫入装置で吊り上げて両方の鋼管杭の杭芯合わせをして支持し、上記の装置によって鋼管杭を回転させて、先に建て込んだ鋼管杭の雌ねじ部（雄ねじ部）に、次に建て込む鋼管杭の雄ねじ部（雌ねじ部）をねじ付けて連結していた。
【０００５】
さらに別の従来例（３）としては、鋼管加工工場等で鋼管杭の一端部を他の部分より拡大開口に形成し、搬入したこの鋼管杭の建込・貫入現場で、杭建込・回転貫入装置で鋼管杭を地盤に建込・貫入し、この鋼管杭に連結する次の鋼管杭を杭建込・回転貫入装置で吊り上げて両方の鋼管杭の杭芯合わせをして支持し、例えば下方の鋼管杭の一端部に、上方の鋼管杭の拡大開口部を外嵌し、両鋼管杭の連結部分に水平方向から穿孔装置で貫通孔を開け、この貫通孔にボルトを通してナットで締結し、両鋼管杭を連結していた。
【考案の開示】
【考案が解決しようとする課題】
【０００６】
しかしながら、上記した従来例（１）のような溶接による鋼管杭の連結では、雨の日などは溶接作業に支障をきたし、また現場で溶接する者の溶接技術の能力が大きく影響し、常に安定した品質での鋼管杭の連結（接続）が期待できないといった問題があった。また、溶接する者と溶接機を準備しなければならず基礎工事費が高くなってしまうといった問題があった。
【０００７】
また、上記した従来例（２）のねじ合わせによる鋼管杭の連結では、鋼管杭へのねじ切り加工に手間と時間を要し鋼管杭のコストが高くなる。また、現場での鋼管杭どうしの連結作業においては、杭芯合わせを正確に行なわないと上手くねじ込み連結できず、ねじ部分がかみ込んだりすると後の処理が大変であった。さらにねじ込み連結して地盤に建込・貫入した鋼管杭等の基礎杭を地盤から引き抜かねばならなくなった場合、逆回転させて抜くことは困難であった。
【０００８】
さらに、上記した従来例（３）のような鋼管杭の一端部を拡大開口して連結する連結手段の場合は、現場で穿孔装置によって貫通孔を開ける加工を施さねばならず、多くの鋼管杭を建込・貫入しなければならない現場では、孔開けに時間も手間もかかり作業効率の点で問題であった。また、作業員の誰もが簡単に貫通孔を開けられるものではなかった。
【０００９】
本考案はこのような点に鑑みて開発されたものである。その目的とするところは、基礎杭である鋼管杭等の基礎杭用部材の建込・貫入現場で、基礎杭用部材を順次容易にかつ迅速に連結して基礎杭の地盤への建込・貫入作業を、連結箇所で不具合が生じるといったこともなく効率良く行うことが出来る連結具を提供することにある。
【課題を解決するための手段】
【００１０】
本考案の連結具は、鋼管杭、スクリュー羽根を備えた杭先鋼管、またはスクリュー羽根を外周に備えたスクリュー羽根付き鋼管等の複数の基礎杭用部材の各連結端部に固着して互いの基礎杭用部材を連結するための少なくとも１対の連結体と、この連結体を連結固定するボルト・ナット等からなる固定手段とからなり、上記の連結体は、基礎杭用部材の連結端部に裏面を固着する円形状のベース板と、このベース板の表面の片側半分のベース板中央寄りを横切るようにしてベース板に固着した連結板と、連結板の所定箇所に穿孔した複数の連結用孔と、ベース板の表面の上記した片側半分の外周縁に沿ってこのベース板に固着した円弧状の補強部材と、上記した連結板の各連結用孔に通じるように上記の補強部材に形成した開口部と、上記の連結板並びに補強部材の上端部側に形成した各係合凹部と、この各係合凹部の溝幅より小さい幅でベース板の表面の上記した片側半分と反対側のもう一方の片側半分に固着した係合凸部と、上記の連結板並びに補強部材の上端部側の中央部に形成した各係合凹部の溝幅と同じ幅または溝幅より広い幅の隙間通路を、上記の円弧状の補強部材と連結板とで囲繞される内部空間の上部開口部に確保してこの上部開口部に蓋するように設けた補強蓋部材とからなり、対向する各基礎杭用部材の連結端部に固着した連結体の連結時に、一方の連結体の係合凹部と他方の連結体の係合凸部とを嵌め合わせて互いの連結体を係合させ、かつ、連結用孔を介して各連結板を固定手段で連結固定できるようにした構成を特徴とする。
【考案の効果】
【００１１】
本考案の連結具は、従来に比べ地盤への建込・貫入時に各種の基礎杭用部材を、現場で誰でも容易にかつ迅速に連結して建込・貫入作業を進めていくことができ、作業効率を向上させることができる。また、本考案の連結具は構成簡単で低コストで製作・取り付けを行うことができ、作業効率の良さと相まって建設コストを低減するのに寄与することができる。
【００１２】
さらに各連結体には、円弧状の補強部材と補強蓋部材とが設けてあり、互いの連結体を係合させた際に、一方の連結体の係合凹部が他方の連結体の係合凸部に嵌め合わされて、固定手段で連結固定後に杭建込・回転貫入装置によって基礎杭用部材を回転させて地盤へ建込・貫入した時に、連結具にかかる回転捩れ力を各連結体の連結板と補強部材および補強蓋部材とで対抗して各連結体の捩れ変形を防止することができる。
【考案を実施するための最良の形態】
【００１３】
以下、本考案を実施するための最良の形態の連結具を図に基づいて説明する。
図１〜図４は本考案にかかる連結具に関する図であって、図示の連結具１(図１参照)は、１対の連結体２ａ、２ｂと、この両連結体２ａ、２ｂを連結固定する固定手段３とからなるものである。
【００１４】
上記の各連結体２ａ、２ｂは、鋼材によって構成された同じ形状のものであって、鋼管杭４(図２、図３参照)等の基礎杭用部材５の中空孔を塞ぐ大きさの円形状のベース板７と、このベース板７の表面１０ａの片側半分１１のベース板中央寄りを横切るようにしてベース板７に長辺側を立てて固着した長方形状の連結板９と、この連結板９の両側寄りに穿孔した２つの連結用孔８ａ、８ｂと、ベース板７の表面１０ａの上記した片側半分１１の外周縁１２に沿ってこのベース板７に固着した円弧状の補強部材１３と、連結板９の各連結用孔８ａ、８ｂに通じるように上記の補強部材１３の２箇所に形成した開口部１４ａ、１４ｂと、連結板９並びに補強部材１３の中央の各上端部１５側に形成した係合凹部１６ａ、１６ｂと、この各係合凹部１６ａ、１６ｂの溝幅１７より小さい幅１８でベース板７の表面１０ａの上記した片側半分１１と反対側のもう一方の片側半分１９に固着した係合凸部２０と、上記の連結板９並びに補強部材１３の上端部１５側の中央部に形成した各係合凹部１６ａ、１６ｂの溝幅１７と同じ幅または溝幅１７より広い幅の隙間通路３０を、上記の円弧状の補強部材１３と連結板９とで囲繞される内部空間２８の上部開口部２９に確保してこの上部開口部２９に蓋するように設けた１／４円形状の２つの補強蓋部材３１とからなる。この補強蓋部材３１は上部開口部２９にはめ込んで溶接等で固着する。勿論、補強蓋部材３１は補強部材１３と連結板９の上端面に当接して溶接等で固着してもよい。
【００１５】
上記した係合凸部２０は、片側半分１９の外周の中央から連結板９の中央下部までの板状直方体形状であり、連結板９の係合凹部１６ａと、補強部材１３の係合凹部１６ｂとの一直線上に配置している。また、係合凸部２０の厚み２１は、上記の各係合凹部１６ａ、１６ｂの深さ２２と略同じである。
【００１６】
また、連結体２ａと、連結体２ｂとを係合させた場合、一方の連結体２ａの連結板９の連結用孔８ａ、８ｂは、対峙する他方の連結体２ｂの連結板９の連結用孔８ａ、８ｂと一致する。
【００１７】
次に固定手段３は、この例ではボルト２３、ナット２４からなり、各連結体２ａ、２ｂの連結板９の対向する各連結用孔８ａ、８ｂにボルト２３を通してナット２４で締め付けることによって、両連結体２ａ、２ｂを連結固定することができる。
【００１８】
本考案の連結具１を構成する各連結体２ａ、２ｂは、各基礎杭用部材５を建込・貫入現場に搬入する前に工場等で、ベース板７の裏面１０ｂを各基礎杭用部材５の連結端部６（両端部または片端部）に溶接しておく。勿論、現場で各連結体２ａ、２ｂを各基礎杭用部材５に溶接してもよい。
【００１９】
上記した連結具１を備えた各基礎杭用部材５を、建込・貫入現場で順次地盤に建込・貫入していく場合は、連結具１を介してスクリュー羽根２５を備えた杭先鋼管２６(図９参照)と鋼管杭４とを連結し、杭建込・回転貫入装置（図示せず）によって杭先鋼管２６とともに鋼管杭４を地盤に建込・貫入する。
【００２０】
そして鋼管杭４の連結端部６の連結体２ａ（２ｂ）の位置が、地上で作業員が連結作業し易い位置になった時に、杭建込・回転貫入装置（図示せず）による貫入を一旦停止し、次に繋ぐ鋼管杭４を杭建込・回転貫入装置（図示せず）で吊り上げて、先の鋼管杭４に対して杭芯を合わせ、この鋼管杭４の連結体２ｂ（２ａ）を先の鋼管杭４の連結体２ａ（２ｂ）に係合させて連結固定する。
【００２１】
対向する連結体２ａ、２ｂを係合させて連結固定する場合は、一方の連結体２ａの連結板９と補強部材１３および補強蓋部材３１を、他方の連結体２ｂの連結板９と補強部材１３および補強蓋部材３１を設けていない片側半分１９の箇所に係合させるとともに、一方の連結体２ａの係合凹部１６ａ、１６ｂと他方の連結体２ｂの係合凸部２０とを係合させ、かつ、一方の連結体２ａの係合凸部２０と他方の連結体２ｂの各係合凹部１６ａ、１６ｂとを係合させる。
【００２２】
そして一方の連結体２ａ（または連結体２ｂ）の各開口部１４ａ、１４ｂから対峙する連結板９の各連結用孔部８ａ、８ｂにボルト２３を挿入し、反対側の他方の連結体２ｂ（または連結体２ａ）の各開口部１４ａ、１４ｂからナット２４を上記のボルト２３にねじ付け、ラチェット式の工具等の先端係合部（図示せず）を各開口部１４ａ、１４ｂからボルト２３、ナット２４に係合させて両連結板９を締め付け、両連結体２ａ、２ｂを連結固定して両基礎杭用部材５を連結する。
【００２３】
このようにして連結できたら再び杭建込・回転貫入装置（図示せず）によって地盤に貫入する。このような作業を順次繰り返して所望の本数の鋼管杭４を地盤に建込・貫入する。
【００２４】
このように本考案の連結具１を用いて基礎杭用部材５を連結し、地盤に建込・貫入する作業を行えば、迅速に作業を行うことができて作業コストを低減することができる。
【００２５】
また、本考案の連結具１にあっては、各連結体２ｂ、２ａに補強部材１３および補強蓋部材３１を設けたことにより、円弧状の補強部材１３と連結板９とが補強蓋部材３１を介してさらに強固な構造となり、連結した基礎杭用部材５の地盤への建込・貫入時に、連結具１の連結板９等が捩れて変形するといったことがない。
【００２６】
なお、本考案に連結具１は、建込・貫入中の基礎杭用部材５である鋼管杭４（図５参照）どうしを連結したり、基礎杭用部材５である鋼管杭４と、スクリュー羽根２５を備えた杭先鋼管２６（図６参照）とを連結したり、基礎杭用部材５であるスクリュー羽根２５付き鋼管杭２７（図７参照）どうしを連結したり、杭先鋼管２６と鋼管杭４とを連結したり、或いはこれらの鋼管も含めたその他の種々の基礎杭用部材どうしを連結固定することができる。
【００２７】
また、本考案にかかる固定手段３は、連結用孔８ａ、８ｂ内にねじ切りを施し、この連結用孔８ａ、８ｂにボルト２３をねじ付けて連結体２ａ、２ｂを連結固定する手段であってもよい。また、固定手段は、ボルト或いはボルト・ナットに限らず、連結体２ａ、２ｂを連結固定できれば如何なる手段であってもよい。
【００２８】
さらに、基礎杭用部材５の連結端部６に溶接で固定する各連結体２ａ、２ｂのベース板７の大きさは、図示のように基礎杭用部材５の外径より大きくても、基礎杭用部材５の外径と同じ大きさでも、或いは基礎杭用部材５の内径より僅かに小さい大きさであってもよい。ベース板が基礎杭用部材５の外径と同じまたは大きい場合は、基礎杭用部材５の端面にベース板を当接し、基礎杭用部材５の端とベース板との外周の境界部分を溶接すればよい。また、ベース板が基礎杭用部材５の内径より僅かに小さい場合は、基礎杭用部材５内の端近傍に収納して基礎杭用部材５の内周面とベース板との境界部分を溶接すればよい。この場合の連結板、或いは筒部材および係合筒部材の大きさは基礎杭用部材５内に収納できる大きさである。したがって、本考案における基礎杭用部材５の連結端部６とは、基礎杭用部材５の端面、基礎杭用部材５の端面近傍の内周面部分である。勿論、上記連結端部６とは、ベース板の形状によっては基礎杭用部材５の端面近傍の外周面部分でもある。
【図面の簡単な説明】
【００２９】
【図１】本考案にかかる少なくとも一対の連結体２ａ、２ｂからなる連結具１の斜視図である。
【図２】本考案にかかる一方の連結体２ｂを基礎杭用部材５に固着した状態の説明図である。
【図３】本考案にかかる他方の連結体２ａを基礎杭用部材５に固着した状態の説明図である。
【図４】本考案の連結具１を介して基礎杭用部材５を連結した状態の説明図である。
【図５】一例の鋼管杭の正面図である。
【図６】一例の杭先鋼管の正面図である。
【図７】一例のスクリュー羽根付き鋼管杭の正面図である。
【符号の説明】
【００３０】
１      連結具
２ａ    連結体
２ｂ    連結体
３      固定手段
４      鋼管杭
５      基礎杭用部材
６      連結端部
７      ベース板
８ａ    連結用孔
８ｂ    連結用孔
９      連結板
１０ａ  表面
１０ｂ  裏面
１１    片側半分
１２    外周縁
１３    補強部材
１４ａ  開口部
１４ｂ  開口部
１５    上端部
１６ａ  係合凹部
１６ｂ  係合凹部
１７    溝幅
１８    幅
１９    片側半分
２０    係合凸部
２３    ボルト
２４    ナット
２８    内部空間
２９    上部開口部
３０    隙間通路
３１    補強蓋部材
【図１】
0003108413.tif 000003
【図２】
0003108413.tif 000004
【図３】
0003108413.tif 000005
【図４】
0003108413.tif 000006
【図５】
0003108413.tif 000007
【図６】
0003108413.tif 000008
【図７】
0003108413.tif 000009